(57)【要約】      （修正有）【課題】インク補給容器の構造を改善する。【解決手段】インク補給容器２００は、インクを収容可能な容器本体と、容器本体の先端側に装着され、インク出口を形成するインク出口形成部４００と、を備える。インク出口形成部４００は、インク入口流路部材７１０を挿入可能な補給流路を形成する管状流路部４１０と、管状流路部４１０内に収納された出口弁ユニットと、を有する。出口弁ユニットは、（ｉ）非補給状態ではインク出口を封止し、（ｉｉ）補給状態では、管状流路部４１０の内部において環状流路部４１０の補給流路がインク入口流路部材７１０のインク入口流路７１１、７１２に連通するように構成されている。【選択図】図１０
2018144281.tif 000002
【特許請求の範囲】
【請求項１】
プリンターのインクタンクから突出するとともにインク入口流路を有するインク入口流路部材から、インクを前記インクタンクに補給するインク補給容器であって、
前記インクを収容可能な容器本体と、
前記容器本体の先端側に装着され、インク出口を形成するインク出口形成部と、
を備え、
前記インク出口形成部は、
前記インク入口流路部材を挿入可能な補給流路を形成する管状流路部と、
前記管状流路部内に収納された出口弁ユニットと、
を有し、
前記出口弁ユニットは、
（ｉ）前記管状流路部の中に前記インク入口流路部材が挿入されない非補給状態では、前記インク出口を封止し、
（ｉｉ）前記インク出口から前記管状流路部の中に前記インク入口流路部材が挿入された補給状態では、前記管状流路部の内部において前記補給流路が前記インク入口流路に連通する、
ように構成されている、インク補給容器。
【請求項２】
請求項１に記載のインク補給容器であって、
前記出口弁ユニットは、
前記管状流路部内に収納されたバネ部材と、
前記バネ部材の先端側に移動可能に収納され、前記バネ部材によって先端側に付勢される移動シール部材と、
前記移動シール部材の先端側において前記インク出口に固定され、前記インク入口流路部材が通過可能な開口を有する出口シール部材と、
を有し、
前記出口弁ユニットは、
（ｉ）前記非補給状態では、前記移動シール部材が前記バネ部材によって先端側に付勢されて前記出口シール部材の前記開口を封止し、
（ｉｉ）前記補給状態では、前記移動シール部材が前記インク入口流路部材により押されて前記容器本体側に後退し、前記管状流路部の内部において前記補給流路が前記インク入口流路に連通する、
ように構成されている、インク補給容器。
【請求項３】
請求項２に記載のインク補給容器であって、
前記移動シール部材は、前記移動シール部材の先端側に突出した凸部を有し、
前記出口弁ユニットは、前記補給状態において、前記移動シール部材の前記凸部が前記インク入口流路部材に当接することにより、前記管状流路部の内部において前記移動シール部材と前記インク入口流路部材との間に隙間が形成され、前記隙間を介して前記補給流路が前記インク入口流路に連通するように構成されている、インク補給容器。
【請求項４】
請求項３に記載のインク補給容器であって、
前記インク入口流路部材は、前記インク入口流路を複数のインク入口流路に区分する仕切壁を有し、
前記移動シール部材の前記凸部は、前記インク入口流路部材の前記仕切壁に対向する位置に設けられており、
前記管状流路部の前記補給流路は、複数の補給流路を含み、
前記出口弁ユニットは、前記補給状態において、前記移動シール部材の前記凸部が前記インク入口流路部材の前記仕切壁に当接して、前記複数の補給流路の１つ以上が前記複数のインク入口流路の１つ以上に連通するとともに、前記複数の補給流路の他の１つ以上が前記複数のインク入口流路の他の１つ以上に連通するように構成されている、インク補給容器。
【請求項５】
請求項２に記載のインク補給容器であって、
前記インク入口流路部材は、前記インク入口流路を複数のインク入口流路に区分する仕切壁を有し、前記複数のインク入口流路の開口は、前記仕切壁の先端よりも後端側に設けられており、
前記管状流路部の前記補給流路は、複数の補給流路を含み、
前記出口弁ユニットは、前記補給状態において、前記移動シール部材の先端が前記インク入口流路部材の前記仕切壁の先端に当接して、前記複数の補給流路の１つ以上が前記複数のインク入口流路の１つ以上に連通するとともに、前記複数の補給流路の他の１つ以上が前記複数のインク入口流路の他の１つ以上に連通するように構成されている、インク補給容器。
【請求項６】
請求項５に記載のインク補給容器であって、
前記インク入口流路部材の先端部は、前記複数のインク入口流路の開口が設けられた斜面を有し、
前記出口弁ユニットは、前記補給状態において、前記移動シール部材の先端と前記インク入口流路部材の前記斜面との間に隙間が形成され、前記隙間を介して前記複数の補給流路の１つ以上が前記複数のインク入口流路の１つ以上に連通するとともに、前記複数の補給流路の他の１つ以上が前記複数のインク入口流路の他の１つ以上に連通するように構成されている、インク補給容器。
【請求項７】
請求項５に記載のインク補給容器であって、
前記インク入口流路部材の先端部は、前記複数のインク入口流路の開口が設けられた外周面を有し、
前記出口弁ユニットは、前記補給状態において、前記複数のインク入口流路の１つ以上のインク入口流路の開口が前記管状流路部の中において前記複数の補給流路の１つ以上に連通し、前記複数のインク入口流路の他の１つ以上のインク入口流路の開口が前記管状流路部の中において前記複数の補給流路の他の１つ以上に連通するように構成されている、インク補給容器。
【請求項８】
請求項２〜７のいずれか一項に記載のインク補給容器であって、
前記出口シール部材は、前記補給状態において前記インク入口流路部材の外周面に接するように変形して前記インク入口流路部材の外周面を封止するゴム部材で形成されている、インク補給容器。
【発明の詳細な説明】
【技術分野】
【０００１】
本発明は、プリンターのインクタンクにインクを補給するインク補給容器に関する。
【背景技術】
【０００２】
インクジェットプリンターには、インクを貯留するインクタンクが設けられており、インクタンクから印刷ヘッドにインクが供給される。プリンターのインクタンクとしては、カートリッジタイプとインク補給タイプの２つのタイプが存在する。カートリッジタイプのインクタンクは、インク残量が低下した場合に新たなインクタンクと交換される。インク補給タイプのインクタンクでは、インク残量が低下した場合にもインクタンクをそのまま使用して、インク補給容器からインクが補充される。
【０００３】
特許文献１には、インク補給タイプのインクタンクにインクを補給するために使用されるインク補給容器が開示されている。
【先行技術文献】
【特許文献】
【０００４】
【特許文献１】特開２０１６−０８７８４４号公報
【発明の概要】
【発明が解決しようとする課題】
【０００５】
ところで、インク補給容器は、使用時にはインク出口を下向きにした姿勢でインクタンクにインクを補給し、不使用時にはインク出口を上向きにした姿勢で保管される。このように、インク補給容器は、様々な姿勢を取る場合が多いので、インクのシール性の確保が重要な問題となる。また、インク補給容器の構成によっては、使用時に限らず、製造時や保管時においてもインクのシール性やその他の構造の問題が発生する場合がある。しかしながら、従来はインク補給容器の構造に関する工夫が十分に成されておらず、更なる改善が望まれていた。
【課題を解決するための手段】
【０００６】
本発明は、上述の課題の少なくとも一部を解決するためになされたものであり、以下の形態または適用例として実現することが可能である。
【０００７】
（１）本発明の一形態によれば、プリンターのインクタンクから突出するとともにインク入口流路を有するインク入口流路部材から、インクを前記インクタンクに補給するインク補給容器が提供される。このインク補給容器は、前記インクを収容可能な容器本体と；前記容器本体の先端側に装着され、インク出口を形成するインク出口形成部と；を備え、前記インク出口形成部は；前記インク入口流路部材を挿入可能な補給流路を形成する管状流路部と；前記管状流路部内に収納された出口弁ユニットと、を有する。前記出口弁ユニットは、（ｉ）前記管状流路部の中に前記インク入口流路部材が挿入されない非補給状態では、前記インク出口を封止し、（ｉｉ）前記インク出口から前記管状流路部の中に前記インク入口流路部材が挿入された補給状態では、前記管状流路部の内部において前記補給流路が前記インク入口流路に連通するように構成されている。
このインク補給容器によれば、出口弁ユニットが、非補給状態ではインク出口を封止し、補給状態では管状流路部の内部において管状流路部の補給流路がインク入口流路部材のインク入口流路に連通するように構成されているので、インク出口におけるシール耐圧の高いインク補給容器を提供できる。
【０００８】
（２）上記インク補給容器において、前記出口弁ユニットは、前記管状流路部内に収納されたバネ部材と、前記バネ部材の先端側に移動可能に収納され、前記バネ部材によって先端側に付勢される移動シール部材と、前記移動シール部材の先端側において前記インク出口に固定され、前記インク入口流路部材が通過可能な開口を有する出口シール部材と、を有し、前記出口弁ユニットは、（ｉ）前記非補給状態では、前記移動シール部材が前記バネ部材によって先端側に付勢されて前記出口シール部材の前記開口を封止し、（ｉｉ）前記補給状態では、前記移動シール部材が前記インク入口流路部材により押されて前記容器本体側に後退し、前記管状流路部の内部において前記補給流路が前記インク入口流路に連通するように構成されているものとしてもよい。
この構成によれば、移動シール部材の移動によってインク出口を閉じたり開放したりすることが可能であり、また、移動シール部材がバネ部材によって先端側に付勢されているので、シール耐圧を更に高めることができる。
【０００９】
（３）上記インク補給容器において、前記移動シール部材は、前記移動シール部材の先端側に突出した凸部を有し、前記出口弁ユニットは、前記補給状態において、前記移動シール部材の前記凸部が前記インク入口流路部材に当接することにより、前記管状流路部の内部において前記移動シール部材と前記インク入口流路部材との間に隙間が形成され、前記隙間を介して前記補給流路が前記インク入口流路に連通するように構成されているものとしてもよい。
この構成によれば、移動シール部材の凸部によって移動シール部材とインク入口流路部材との間に隙間が形成されるので、この隙間を介して補給流路とインク入口流路とを連通させることができる。
【００１０】
（４）上記インク補給容器において、前記インク入口流路部材は、前記インク入口流路を複数のインク入口流路に区分する仕切壁を有し、前記移動シール部材の前記凸部は、前記インク入口流路部材の前記仕切壁に対向する位置に設けられており、前記管状流路部の前記補給流路は、複数の補給流路を含み、前記出口弁ユニットは、前記補給状態において、前記移動シール部材の前記凸部が前記インク入口流路部材の前記仕切壁に当接して、前記複数の補給流路の１つ以上が前記複数のインク入口流路の１つ以上に連通するとともに、前記複数の補給流路の他の１つ以上が前記複数のインク入口流路の他の１つ以上に連通するように構成されているものとしてもよい。
この構成によれば、管状流路部の複数の補給流路がインク入口流路部材の複数のインク入口流路に連通するので、気液交換によるインクの補給を効率良く行うことができる。
【００１１】
（５）上記インク補給容器において、前記インク入口流路部材は、前記インク入口流路を複数のインク入口流路に区分する仕切壁を有し、前記複数のインク入口流路の開口は、前記仕切壁の先端よりも後端側に設けられており、前記管状流路部の前記補給流路は、複数の補給流路を含み、前記出口弁ユニットは、前記補給状態において、前記移動シール部材の先端が前記インク入口流路部材の前記仕切壁の先端に当接して、前記複数の補給流路の１つ以上が前記複数のインク入口流路の１つ以上に連通するとともに、前記複数の補給流路の他の１つ以上が前記複数のインク入口流路の他の１つ以上に連通するように構成されているものとしてもよい。
この構成によれば、複数のインク入口流路の開口が仕切壁の先端よりも後端側に設けられているので、移動シール部材の先端がインク入口流路部材の仕切壁の先端に当接することにより、複数の補給流路をインク入口流路部材の複数のインク入口流路に連通させることができる。
【００１２】
（６）上記インク補給容器において、前記インク入口流路部材の先端部は、前記複数のインク入口流路の開口が設けられた斜面を有し、前記出口弁ユニットは、前記補給状態において、前記移動シール部材の先端と前記インク入口流路部材の前記斜面との間に隙間が形成され、前記隙間を介して前記複数の補給流路の１つ以上が前記複数のインク入口流路の１つ以上に連通するとともに、前記複数の補給流路の他の１つ以上が前記複数のインク入口流路の他の１つ以上に連通するように構成されているものとしてもよい。
この構成によれば、複数のインク入口流路の開口がインク入口流路部材の斜面に設けられているので、移動シール部材の先端とインク入口流路部材の斜面との間の隙間を介して複数の補給流路を複数のインク入口流路に連通させることができる。
【００１３】
（７）上記インク補給容器において、前記インク入口流路部材の先端部は、前記複数のインク入口流路の開口が設けられた外周面を有し、前記出口弁ユニットは、前記補給状態において、前記複数のインク入口流路の１つ以上のインク入口流路の開口が前記管状流路部の中において前記複数の補給流路の１つ以上に連通し、前記複数のインク入口流路の他の１つ以上のインク入口流路の開口が前記管状流路部の中において前記複数の補給流路の他の１つ以上に連通するように構成されているものとしてもよい。
この構成によれば、複数のインク入口流路の開口がインク入口流路部材の外周面に設けられているので、管状流路部の中において複数のインク入口流路の開口を複数の補給流路に連通させることができる。
【００１４】
（８）上記インク補給容器において、前記出口シール部材は、前記補給状態において前記インク入口流路部材の外周面に接するように変形して前記インク入口流路部材の外周面を封止するゴム部材で形成されているものとしてもよい。
この構成によれば、補給状態において、インク入口流路部材の外周面のシール性能を高めることができる。
【００１５】
本発明は、上述したインク補給容器以外の種々の形態で実現することが可能である。例えば、インクタンクとインク補給容器とを備えるインク補給システム等の形態で実現することができる。
【図面の簡単な説明】
【００１６】
【図１】第１実施形態のプリンターの斜視図。
【図２】インクタンクにインク補給容器を挿入した状態を示す斜視図。
【図３】第１実施形態のインク補給容器の分解斜視図。
【図４】第１実施形態のインク補給容器の正面図。
【図５】第１実施形態のインク補給容器の平面図。
【図６】第１実施形態のインク補給容器の縦断面図。
【図７】図６の一部拡大図。
【図８】第１実施形態のインクタンクの斜視図。
【図９】第１実施形態における補給状態を示す断面図。
【図１０】図９の一部拡大図。
【図１１】図１０に示した補給状態の直前の非補給状態を示す断面図。
【図１２】第２実施形態のインクタンクを示す斜視図。
【図１３】第２実施形態における補給状態を示す断面図。
【図１４】第３実施形態のインクタンクを示す斜視図。
【図１５】第３実施形態における補給状態を示す断面図。
【発明を実施するための形態】
【００１７】
図１は、第１実施形態におけるプリンター１００の斜視図である。このプリンター１００は、インクを印刷媒体上に吐出して印刷を行うインクジェットプリンターである。図１には、互いに直交するＸＹＺ軸が描かれている。Ｘ軸はプリンター１００の幅方向に対応し、Ｙ軸はプリンター１００の奥行き方向に対応し、Ｚ軸はプリンター１００の高さ方向に対応する。プリンター１００は、Ｘ方向とＹ方向とによって規定される水平な設置面に設置されている。
【００１８】
プリンター１００は、筐体１１０を有する。筐体１１０の内部には、主走査方向（Ｘ方向）に移動可能なキャリッジ（図示省略）が設けられている。キャリッジには、インクを印刷媒体上に吐出する印刷ヘッドが設置されている。筐体１１０の前面の一端には、複数のインクタンク７００Ｓ，７００Ｌを収容するインクタンク収容ユニット１６０が設けられている。インクタンク収容ユニット１６０は、その上部に開閉可能な蓋１６２を有している。なお、インクタンク７００Ｓは小容量のタンクであり、インクタンク７００Ｌは大容量のタンクである。但し、以下の説明では、両者を区別せずに単に「インクタンク７００」と呼ぶ。各インクタンク７００は、チューブ（図示省略）によってキャリッジの印刷ヘッドに接続されている。すなわち、インクタンク７００は、プリンター１００のキャリッジ上に載置されていない定置型のインクタンクである。また、各インクタンク７００は、インク残量が低下した場合にインク補給容器からインクが補充されるインク補給タイプのインクタンクである。
【００１９】
図２は、インク補給容器２００を用いてインクタンク７００にインクを補給する状態を示す斜視図である。各インクタンク７００の前面は、透明部材で形成されており、各インクタンク７００のインク残量が外部から目視可能である。インク残量が少なくなった場合には、図２に示すように、蓋１６２を開けて、インクタンク７００のインク入口流路部材７１０からインクを補給することが可能である。
【００２０】
各インクタンク７００の上面には、インクをインクタンク７００に補給するための筒状のインク入口流路部材７１０が設けられている。インクタンク収容ユニット１６０は、インク入口流路部材７１０の先端を封止するためのキャップ１６５を有するキャップ部材１６４を備えている。インクタンク７００にインクを補給しない状態では、インク入口流路部材７１０の先端は、キャップ部材１６４のキャップ１６５で封止されている。インクタンク７００にインクを補給する際には、キャップ部材１６４をインク入口流路部材７１０から外し、インク入口流路部材７１０の位置にインク補給容器２００の先端部を挿入してインクを補給する。インク入口流路部材７１０の周囲には、インク補給容器２００の嵌合部（後述）と嵌合する２つの凹部７５０が設けられている。これらの凹部７５０は、インク入口流路部材７１０を中心として１８０度の回転対称の形状を有する。
【００２１】
本明細書において、「インクの補給」という用語は、インクタンク７００にインクを供給してインク残量を増やす動作を意味している。但し、「インクの補給」によってインクタンク７００をインクで満杯にする必要はない。また、「インクの補給」は、プリンター１００の初回使用時に、空のインクタンク７００にインクを充填する動作も含む。
【００２２】
図３は、第１実施形態におけるインク補給容器２００の分解斜視図である。インク補給容器２００は、インクを収容可能な容器本体３００と、インク出口４６０を形成するインク出口形成部４００と、出口弁ユニット５００とを有している。インク補給容器２００は、更に、インク出口形成部４００の先端側に装着されるキャップ（図示省略）を有する。容器本体３００は、先端側に開口を有する中空円筒状の容器である。容器本体３００の先端にある小径部分には、インク出口形成部４００を装着するための外ネジ３１２が設けられている。インク出口形成部４００の先端には、インク出口４６０が設けられている。インク出口４６０には、出口弁ユニット５００が装着される。従って、出口弁ユニット５００は、インク出口形成部４００の一部を構成する部材とみなすことも可能である。インクタンク７００へのインクの補給時には、インクタンク７００のインク入口流路部材７１０（図２）がインク出口４６０内に挿入される。
【００２３】
出口弁ユニット５００は、出口シール部材５１０と、移動シール部材５２０と、バネ部材５３０とを有する。出口シール部材５１０は、略リング状の形状を有するゴム部材である。移動シール部材５２０は、略円筒状の形状を有する部材である。出口シール部材５１０は弁座としての機能を有し、移動シール部材５２０は弁体としての機能を有する。バネ部材５３０は、コイルスプリングである。出口弁ユニット５００は、インクタンク７００にインクを補給しない非補給状態ではインク出口４６０を封止してインクが外部に漏れないように構成されており、インクタンク７００にインクを補給する補給状態では封止を解除してインク入口流路部材７１０にインクが流れ込むように構成されている。非補給状態と補給状態における出口弁ユニット５００の動作については後述する。
【００２４】
インク出口４６０の周囲には、２つの嵌合部４５０が設けられている。これらの嵌合部４５０は、インクタンク７００のインク入口流路部材７１０の周囲に設けられた凹部７５０（図２）に嵌合することによって、インク補給容器２００の位置決めを行う位置決め部材である。第１実施形態では、２つの嵌合部４５０は、インク補給容器２００の中心軸Ｃを中心として１８０度の回転対称の形状を有する。インクタンク７００のインク入口流路部材７１０の周囲に設けられた凹部７５０も同様に、インク入口流路部材７１０を中心として１８０度の回転対称の形状を有する。インクの補給時には、インク補給容器２００の嵌合部４５０をインクタンク７００のインク入口流路部材７１０の周囲の凹部７５０に嵌合させることにより、インク補給容器２００の向きが、１８０度の回転対称である２つの向きに限定される。この結果、インク補給時にインク補給容器２００を安定した姿勢に維持することが可能である。但し、嵌合部４５０は省略可能である。
【００２５】
なお、本明細書において、インク補給容器２００の中心軸Ｃと平行な方向を「軸方向」と呼び、中心軸Ｃから外側に向かう方向を「径方向」と呼ぶ。
【００２６】
図４は、インク補給容器２００の正置状態における正面図であり、図５はその平面図である。「インク補給容器２００の正置状態」とは、容器本体３００の底部を下にして机などの水平面の上に置いた状態を意味する。この正置状態におけるインク補給容器２００の上端側を「先端側」と呼び、下端側を「後端側」と呼ぶ。図４以降の各図におけるＺ方向は、インク補給容器２００の正置状態における鉛直上向きの方向を示す。前述した図２に示すように、インクタンク７００へのインクの補給は、インク補給容器２００の先端側を下向きにした倒置姿勢で行われる。なお、図４及び図５は、図示しないキャップを外した状態である。
【００２７】
図６は、インク補給容器２００の縦断面図である。図３でも説明したように、インク出口形成部４００の２つの嵌合部４５０の間には、インク出口４６０が設けられている。インク出口４６０は、インク入口流路部材７１０が挿入可能な補給流路を形成する管状流路部４１０を有している。出口弁ユニット５００の出口シール部材５１０と移動シール部材５２０とバネ部材５３０は、管状流路部４１０に収納されている。バネ部材５３０は、管状流路部４１０内の最も後端側に収納されている。移動シール部材５２０は、管状流路部４１０内においてバネ部材５３０の先端側に移動可能に収納されており、バネ部材５３０によって先端側に付勢されている。出口シール部材５１０は、インク出口４６０に固定されている。出口シール部材５１０は、インク入口流路部材７１０が通過可能な開口を有する。この図６は、インクタンク７００にインクを補給しない非補給状態での断面を示している。この非補給状態において、出口弁ユニット５００は、インク出口４６０を封止している。なお、第１実施形態の出口弁ユニット５００では、移動シール部材５２０がバネ部材５３０によって先端側に付勢されているので、例えばスリット弁などのような他の種類の弁に比べて、高いシール耐圧を得ることができる。具体的には、非補給状態においてインク補給容器２００を倒置姿勢にした場合にも、インクがインク出口４６０から漏れ出る可能性を低減できる。
【００２８】
図７は、図６の一部拡大図である。第１実施形態において、移動シール部材５２０は、先端側に突出した凸部５２６を有する。凸部５２６の周囲には、環状当接部５２８が形成されている。この環状当接部５２８は、図７に示す非補給状態において、出口シール部材５１０の後端の環状突起５１２と当接して出口シール部材５１０の開口を封止する。凸部５２６は、この環状当接部５２８よりも先端側に突出している。移動シール部材５２０の後端側には、筒状部５２４と、筒状部５２４の後端側にあるバネ係合部５２２とが設けられている。バネ係合部５２２は、筒状部５２４よりも小さな外径を有している。バネ係合部５２２の外周には、バネ部材５３０の先端部が係止される。
【００２９】
管状流路部４１０内の流路（「補給流路」とも呼ぶ）は、２つの補給流路４１１，４１２に区分されている。後述するように、インクの補給状態では、２つの補給流路４１１，４１２の一方はインクの流路として使用され、他方は空気の流路として利用される。この結果、インク補給容器２００は、インクタンク７００と気液交換を行いながらインクの補給を行うことが可能である。気液交換を利用してインクの補給を行う際には、容器本体３００を圧搾する必要はない。このように、容器本体３００を圧搾せずにインクの補給を行うことが可能なインク補給容器の種類を「非圧搾タイプ」とも呼ぶ。なお、管状流路部４１０内の流路は、２つの補給流路４１１，４１２に区分されている必要はなく、１つの補給流路として形成されていてもよい。また、管状流路部４１０内の流路は、３つ以上の補給流路に区分されていても良い。
【００３０】
出口シール部材５１０は、例えば、ゴム弾性を有するゴム部材（エラストマー）で形成することが可能である。移動シール部材５２０は、例えば、ポリエチレンやポリプロピレンのような熱可塑性樹脂で形成することが可能である。バネ部材５３０は、例えば、金属で形成することが可能である。出口弁ユニット５００以外のインク補給容器２００の部品は、例えば、ポリエチレンやポリプロピレンのような熱可塑性樹脂で形成することが可能である。
【００３１】
インク補給容器２００の製品発送時点では、インク出口４６０をフィルムによって封止しておいてもよい。この封止用のフィルムは、インク出口４６０に出口シール部材５１０を固定する固定部材を兼用することも可能である。なお、出口シール部材５１０と移動シール部材５２０との間は、移動シール部材５２０がバネ部材５３０によって付勢された状態で封止されているので、インク出口４６０を封止するフィルム自体にはインクを封止する機能は必要とされていない。従って、例えばフィルムに切れ込みを入れておくことによって、インクタンク７００のインク入口流路部材７１０がフィルムを容易に突き破れるようにしてもよい。なお、封止用のフィルムの代わりに、インク出口４６０を形成する樹脂部材の熱加締め等の他の固定手段を用いて、出口シール部材５１０をインク出口４６０に固定してもよい。
【００３２】
図８は、第１実施形態のインクタンク７００の斜視図である。インクタンク７００のインク入口流路部材７１０は、インクタンク７００から上方に突出している。インク入口流路部材７１０は、２つのインク入口流路７１１，７１２を有している。２つのインク入口流路７１１，７１２は、仕切壁７１４によって区分されている。第１実施形態では、インク入口流路部材７１０の先端面は平坦であり、２つのインク入口流路７１１，７１２は、インク入口流路部材７１０の先端面でそれぞれ開口している。また、インク入口流路部材７１０の先端面の一部は、仕切壁７１４の端部に相当する。インクの補給時には、インク補給容器２００の嵌合部４５０がインクタンク７００のインク入口流路部材７１０の周囲の凹部７５０に嵌合され、インク補給容器２００の周方向の位置決めがされる。これにより、２つのインク入口流路７１１，７１２は、下方のインク収容室７６０内に突出する２つのタンク内流路７２１，７２２にそれぞれ連通する。これらのタンク内流路７２１，７２２の下端は、インク収容室７６０の天井壁よりも下方の位置まで延びている。この理由は、インク補給容器２００からインクタンク７００にインクを補給する際に，インク収容室７６０内の液位がタンク内流路７２１，７２２の下端に達した時点で気液交換が停止し、これに伴ってインクの補給も停止するので、インクの補給作業が容易だからである。
【００３３】
インク入口流路部材７１０の２つのインク入口流路７１１，７１２は、図７に示したインク補給容器２００の管状流路部４１０の２つの補給流路４１１，４１２にそれぞれ対応している。なお、前述したように、補給状態では、インク補給容器２００の向きとして、１８０度の回転対称である２つの向きのいずれをも取り得る。従って、補給状態では、インク補給容器２００の嵌合部４５０をインクタンク７００のインク入口流路部材７１０の周囲の凹部７５０に嵌合させることにより、インク補給容器２００の向きが、１８０度の回転対称である２つの向きに限定されるため、補給流路４１１，４１２の一方がインク入口流路７１１，７１２の一方と連通し、補給流路４１１，４１２の他方がインク入口流路７１１，７１２の他方と連通する。但し、インク入口流路部材７１０のインク入口流路は、２つのインク入口流路７１１，７１２に区分されている必要は無く、１つの流路として形成されていてもよい。また、インク入口流路部材７１０のインク入口流路は、３つ以上のインク入口流路に区分されていてもよい。但し、インク入口流路部材７１０のインク入口流路が複数のインク入口流路に区分されていれば、気液交換を利用してインクの補給を効率的に行えるという利点がある。
【００３４】
図９は、インク補給容器２００からインクタンク７００にインクを補給する補給状態を示す断面図である。この補給状態では、インク補給容器２００は倒置姿勢を取る。また、インクタンク７００のインク入口流路部材７１０は、出口シール部材５１０の開口を介して管状流路部４１０に挿入されている。出口弁ユニット５００は、この補給状態において、管状流路部４１０内の補給流路４１１，４１２（図７）がインク入口流路部材７１０のインク入口流路７１１，７１２に連通するように構成されている。
【００３５】
図１０は、図９の一部拡大図である。但し、容器本体３００は図示を省略している。移動シール部材５２０の凸部５２６は、インク入口流路部材７１０の仕切壁７１４に対向する位置に設けられている。補給状態では、移動シール部材５２０の凸部５２６がインク入口流路部材７１０により押されて容器本体３００側に後退し、インク入口流路部材７１０のインク入口流路７１１，７１２が管状流路部４１０内の補給流路４１１，４１２とそれぞれ連通する。この結果、容器本体３００内のインクが補給流路４１１，４１２を介してインク入口流路部材７１０に流れ込むことが許容される。図１０において、実線の矢印はインクの流れを示し、破線の矢印は空気の流れを示している。このように、補給状態では、インク入口流路部材７１０の２つのインク入口流路７１１，７１２と、管状流路部４１０内の２つの補給流路４１１，４１２とを利用して、気液交換を行いながらインク補給容器２００からインクタンク７００にインクを効率的に補給することができる。この気液交換を円滑に行うために、管状流路部４１０内の補給流路は、複数の補給流路に区分されていることが好ましい。インク入口流路部材７１０のインク入口流路も同様である。この場合には、補給状態において、複数の補給流路の１つ以上が複数のインク入口流路の１つ以上に連通するとともに、複数の補給流路の他の１つ以上が複数のインク入口流路の他の１つ以上に連通するように構成されていることが好ましい。
【００３６】
なお、第１実施形態では、補給状態において、移動シール部材５２０の凸部５２６がインク入口流路部材７１０に当接することによって、移動シール部材５２０とインク入口流路部材７１０との間に隙間を形成し、この隙間を介して管状流路部４１０の補給流路４１１，４１２のインク入口流路部材７１０のインク入口流路７１１，７１２に連通するように構成されている。このように、移動シール部材５２０の先端に凸部５２６を設けておき、凸部５２６がインク入口流路部材７１０に当接することによって移動シール部材５２０とインク入口流路部材７１０との間に隙間を形成するようにすれば、流路間の連通状態を容易に実現することが可能である。
【００３７】
また、図１０に示した補給状態では、出口シール部材５１０が、インク入口流路部材７１０の外周面に接してインク入口流路部材７１０の外周面を封止している。この構成によれば、インクが外部に漏れ出すことを防止することが可能であり、インク入口流路部材７１０の外周面のシール性能を高めることができる。
【００３８】
図１１は、図１０に示した補給状態の直前の非補給状態を示している。この状態は、インク補給容器２００の先端部をインクタンク７００に向けて下降させてゆき、インク入口流路部材７１０の先端が、移動シール部材５２０の凸部５２６に接した状態である。このとき、移動シール部材５２０と出口シール部材５１０との間は封止されたままである。また、図１１では、出口シール部材５１０とインク入口流路部材７１０の外周面との間の封止が開始されている。このように、補給状態に至る直前の状態において、インク入口流路部材７１０の外周面と出口シール部材５１０との封止が開始されるように出口弁ユニット５００を構成すれば、その後にインク補給容器２００を更に下降させて図１０に示した補給状態に至るまでの間に、インクが外部に漏れ出す可能性を更に低下させることが可能である。
【００３９】
以上のように、第１実施形態では、インクタンク７００へのインクの補給を行わない非補給状態では、出口弁ユニット５００がインク出口４６０を封止するように構成されている。一方、インクタンク７００へのインクの補給を行う補給状態では、管状流路部４１０の内部において補給流路４１１，４１２がインク入口流路部材７１０のインク入口流路７１１，７１２に連通するように構成されている。従って、インク出口４６０におけるシール耐圧が高いインク補給容器２００を提供することができる。
【００４０】
図１２は、第２実施形態のインク入口流路部材７１０ａを有するインクタンク７００ａを示す斜視図であり、第１実施形態の図８に対応する図である。第２実施形態のインク入口流路部材７１０ａの先端部は、２つのインク入口流路７１１，７１２の開口を有する斜面７１７と、ピーク部７１５とを有する形状に形成されている。斜面７１７は、ピーク部７１５からインク入口流路部材７１０ａの後端側に傾斜している。
【００４１】
図１３は、図１２に示した第２実施形態のインクタンク７００ａに対する補給状態を示す断面図であり、第１実施形態の図９に対応する図である。インク出口形成部４００は、第１実施形態と同じ構造を有している。第２実施形態のインク入口流路部材７１０ａのピーク部７１５は、２つのインク入口流路７１１，７１２を仕切る仕切壁７１４ａの先端に相当する部分である。この補給状態において、出口弁ユニット５００は、移動シール部材５２０の先端の凸部５２６が、インク入口流路部材７１０ａのピーク部７１５に当接するように構成されている。また、このとき、インク入口流路部材７１０ａの斜面７１７と移動シール部材５２０の環状当接部５２８との間に隙間が形成されており、この隙間を介して管状流路部４１０の複数の補給流路４１１，４１２がインク入口流路部材７１０ａの複数のインク入口流路７１１，７１２に連通する。従って、この第２実施形態によっても、第１実施形態と同様の効果を得ることが可能である。
【００４２】
図１４は、第３実施形態のインク入口流路部材７１０ｂを有するインクタンク７００ｂを示す斜視図である。第３実施形態のインク入口流路部材７１０ｂの先端部において、２つのインク入口流路７１１，７１２の開口は、インク入口流路部材７１０ｂの先端面７１８には形成されておらず、インク入口流路部材７１０ｂの外周面７１６に形成されている。
【００４３】
図１５は、図１４に示した第３実施形態のインクタンク７００ｂに対する補給状態を示す断面図である。インク出口形成部４００は、第１実施形態と同じ構造を有している。第３実施形態のインク入口流路部材７１０ｂの先端面７１８は、２つのインク入口流路７１１，７１２を仕切る仕切壁７１４ｂの先端に相当する部分である。この補給状態において、インク出口形成部４００は、移動シール部材５２０の先端の凸部５２６が、インク入口流路部材７１０ｂの先端面７１８に当接するように構成されている。インク入口流路部材７１０ｂの２つのインク入口流路７１１，７１２は、インク入口流路部材７１０ｂの外周面７１６に開口しているので、この開口を介して管状流路部４１０の補給流路４１１，４１２がインク入口流路部材７１０ａのインク入口流路７１１，７１２に連通する。従って、この第３実施形態においても、第１実施形態と同様の効果を得ることが可能である。
【００４４】
上述した第２実施形態と第３実施形態は、インク入口流路部材７１０の複数のインク入口流路７１１，７１２の開口が、仕切壁７１４の先端よりも後端側に設けられている点で共通している。このような構造を採用すれば、補給状態において、管状流路部４１０の内部で移動シール部材５２０の先端がインク入口流路部材７１０の仕切壁７１４の先端に当接することにより、管状流路部４１０の補給流路４１１，４１２をインク入口流路部材７１０のインク入口流路７１１，７１２にそれぞれ連通させることが可能である。
【００４５】
なお、図１３に示した第２実施形態において、移動シール部材５２０の先端に凸部５２６が形成されていない構造を採用することも可能である。この構造においても、移動シール部材５２０の先端とインク入口流路部材７１０ａの斜面７１７との間に隙間が形成されるので、その隙間を介して管状流路部４１０の補給流路４１１，４１２をインク入口流路部材７１０ａのインク入口流路７１１，７１２に連通させることができる。従って、移動シール部材５２０の凸部５２６は省略可能である。第３実施形態においても同様に、移動シール部材５２０の凸部５２６を省略することができる。
【００４６】
・変形例：
本発明は上述した実施形態やその変形例に限られるものではなく、その要旨を逸脱しない範囲において種々の態様において実施することが可能である。
【００４７】
・変形例１：
上述した実施形態のインク補給容器２００の部材の一部を任意に省略したり、変更したりすることが可能である。例えば、キャップを省略してもよい。また、容器本体３００の一部又は全部を、可撓性の袋体で構成してもよい。また、出口弁ユニット５００の具体的な構造も適宜変更可能である。但し、出口弁ユニット５００は、管状流路部４１０の中にインク入口流路部材７１０が挿入されない非補給状態ではインク出口４６０を封止し、インク出口４６０から管状流路部４１０の中にインク入口流路部材７１０が挿入された補給状態では、管状流路部４１０の内部において管状流路部４１０の補給流路がインク入口流路部材７１０のインク入口流路に連通するように構成されることが好ましい。
【００４８】
・変形例２：
上述した実施形態では、非圧搾タイプのインク補給容器について説明したが、本発明は圧搾タイプのインク補給容器にも適用可能である。また、本発明は、インク補給容器などのインク収容容器に限らず、インク以外の液体を収容する他の種類の液体収容容器にも適用可能である。
【符号の説明】
【００４９】
１００…プリンター、１１０…筐体、１６０…インクタンク収容ユニット、１６２…蓋、１６４…キャップ部材、１６５…キャップ、２００…インク補給容器、３００…容器本体、３１２…外ネジ、４００…インク出口形成部、４１０…管状流路部、４１１，４１２補給流路、４５０…嵌合部、４６０…インク出口、５００…出口弁ユニット、５１０…出口シール部材、５１２…環状突起、５２０…移動シール部材、５２２…バネ係合部、５２４…筒状部、５２６…凸部、５２８…環状当接部、５３０…バネ部材、７００，７００Ｌ，７００Ｓ，７００ａ，７００ｂ…インクタンク、７１０，７１０ａ，７１０ｂ…インク入口流路部材、７１１，７１２…インク入口流路、７１４，７１４ａ，７１４ｂ…仕切壁、７１５…ピーク部、７１６…外周面、７１７…斜面、７１８…先端面、７２１，７２２…タンク内流路、７５０…凹部、７６０…インク収容室、Ｃ…中心軸
【図１】
2018144281.tif 000003
【図２】
2018144281.tif 000004
【図３】
2018144281.tif 000005
【図４】
2018144281.tif 000006
【図５】
2018144281.tif 000007
【図６】
2018144281.tif 000008
【図７】
2018144281.tif 000009
【図８】
2018144281.tif 000010
【図９】
2018144281.tif 000011
【図１０】
2018144281.tif 000012
【図１１】
2018144281.tif 000013
【図１２】
2018144281.tif 000014
【図１３】
2018144281.tif 000015
【図１４】
2018144281.tif 000016
【図１５】
2018144281.tif 000017